(57)【要約】【課題】腹壁の孔と胃壁の孔とがずれている状態における胃ろうカテーテルを装着する訓練を可能な器具を提供すること。【解決手段】臓器の壁部を模した第１の壁部（１１）に形成され、胃ろうカテーテル（３１）を挿入可能な第１の孔（１８ａ）と、腹壁を模した第２の壁部（２１）に形成され、胃ろうカテーテル（３１）を挿入可能な第２の孔（２３ａ）と、台座部（２）に設けられた装着部（６，７）と、第２の壁部（２１）に設けられた被装着部（２２ａ、２２ｂ）であって、第１の孔（１８ａ）の位置に対して第２の孔（２３ａ）の位置が対応する第１の位置で装着部（６，７）に装着可能であると共に、第１の孔（１８ａ）の位置に対して第２の孔（２３ａ）の位置がずれた状態となる第２の位置でも装着部（６，７）に装着可能な被装着部（２２ａ、２２ｂ）と、を備えた胃ろう実技訓練具（１）。【選択図】図２
2014133010.tif 000002
【特許請求の範囲】
【請求項１】
台座部と、
前記台座部に支持されて、臓器の壁部を模した第１の壁部と、
前記第１の壁部に形成され且つ第１の壁部を貫通し、胃ろうカテーテルを挿入可能な第１の孔と、
腹壁を模した第２の壁部であって、前記台座部に対して第１の壁部を挟んで着脱可能に支持される前記第２の壁部と、
前記第２の壁部に形成され且つ前記第２の壁部を貫通し、胃ろうカテーテルを挿入可能な第２の孔と、
前記台座部に設けられた装着部と、
前記第２の壁部に設けられた被装着部であって、前記第１の孔の位置に対して前記第２の孔の位置が対応する第１の位置で前記装着部に装着可能であると共に、前記第１の孔の位置に対して前記第２の孔の位置がずれた状態となる第２の位置でも前記装着部に装着可能な前記被装着部と、
を備えたことを特徴とする胃ろう実技訓練具。
【請求項２】
予め設定された間隔をあけて配置された一対の前記装着部と、
前記一対の装着部どうしの中央の位置に対して、一方の装着部側に寄った位置に配置された前記第１の孔と、
前記一対の装着部に対応して、予め設定された間隔をあけて配置された前記被装着部であって、一方の装着部に一方の被装着部が装着され且つ他方の装着部に他方の被装着部が装着されることで前記第１の位置で前記第２の壁部が前記台座部に装着されると共に、一方の装着部に他方の被装着部が装着され且つ他方の装着部に一方の被装着部が装着されることで前記第２の位置で前記第２の壁部が前記台座部に装着される前記被装着部と、
前記第１の位置で前記台座部に前記第２の壁部が装着された状態において、前記一対の装着部どうしの中央の位置に対して一方の装着部側に寄った位置且つ前記第１の孔に対応する位置に配置されることにより、前記第２の位置では、前記第１の孔の位置に対してずれた状態となる前記第２の孔と、
を備えたことを特徴とする請求項１に記載の胃ろう実技訓練具。
【発明の詳細な説明】
【技術分野】
【０００１】
本発明は、胃に栄養や医薬品を流入させる胃ろう（胃瘻）や腸ろうに関する実技訓練や説明を行う際に使用する胃ろう実技訓練具に関する。
【背景技術】
【０００２】
食事や栄養を口から摂取することが困難な患者や、口から摂取してもむせ込んで肺炎等を発症させる恐れのある患者に対して、腹壁および胃壁（または腸壁）に孔（ろう孔）を形成し、筒状の部材（胃ろうカテーテル）を通して、体外から栄養液や医薬品を、胃の内部に直接流入させる「胃ろう（腸ろう）」が従来から行われている。
なお、以下の説明では、胃ろうと腸ろうに関しては、同様の技術内容であるため、代表して「胃ろう」と記載して説明を行い、腸ろうに関しては記載を省略する。したがって、以下の説明において、特に断りのない場合は、「胃ろう」という記載は「腸ろう」も含む意味で使用する。
【０００３】
胃ろうでは、腹壁の孔と胃壁の孔とに筒状の部材（胃ろうカテーテル）を通した状態で固定し、栄養液等を流入させない場合は、胃ろうカテーテルに封をしておき、栄養液等を流入させる場合には、胃ろうカテーテルを通じて栄養液等を流入させている。胃ろうカテーテルは、経時的に汚れたり、劣化するため、定期的に交換する必要がある。また、胃ろうカテーテルの周囲の皮膚の部分には、汚れがたまりやすく、雑菌の繁殖や炎症の恐れがあるため、清潔にするために胃ろうカテーテルの周囲を消毒、清掃する（ケアをする）必要もある。
【０００４】
しかしながら、胃ろうカテーテルの交換や周囲の消毒等を、経験の無い医師や看護士等が行うと不測の事故が発生する恐れがある。したがって、医師が胃ろうカテーテルの取り外しや、挿入の練習をしたり、看護士や介護士が胃ろうカテーテルの周囲を消毒する練習、さらには、胃ろうカテーテルに栄養液等を流入させるためのチューブを接続、取り外す練習を行うことが望ましい。
胃ろうの訓練を行うための技術として、以下の非特許文献１に記載の技術が従来公知である。
【０００５】
非特許文献１では、経口や経鼻で胃にチューブを挿入する訓練が可能であると共に、胃ろうや腸ろう装着者のケアの訓練や、胃ろう等から栄養物を注入する訓練が可能な訓練具が記載されている。
【先行技術文献】
【非特許文献】
【０００６】
【非特許文献１】株式会社坂本モデル、“サカモト経管栄養トレーナー”、［online］、2012年、株式会社坂本モデル、［平成24年11月１日検索］、インターネット〈URL：http://sakamoto-model.co.jp/product/care/m175-2/index.html〉
【発明の概要】
【発明が解決しようとする課題】
【０００７】
（従来技術の問題点）
非特許文献１記載の技術では、胃ろうカテーテルを着脱する訓練を行うことはできない。
また、実際の患者では、腹壁や胃壁に孔をあけた場合や胃ろうカテーテルを取り外した場合に、腹壁にあけられた孔と、胃壁にあけられた孔との位置が、ずれてしまう場合がある。しかしながら、医師が胃ろうカテーテルを挿入する場合、挿入を開始すると、医師は、腹壁にあけられた孔しか視認できない。したがって、胃壁にあけられた孔は、胃ろうカテーテルを挿入する器具（オブチュレータ）を操作する感覚、すなわち、手探りの状態で、胃ろうカテーテルを胃壁にあけられた孔に挿入する必要がある。
仮に、胃壁の孔に胃ろうカテーテルが正確に挿入されないと、腹壁と胃壁との間に栄養液が流入したり、胃壁を傷つけたり、胃から内容物が漏れ出したりして、腹膜炎を発症する恐れがある。また、腹壁と胃壁との間に胃ろうカテーテルが埋没する恐れもある。非特許文献１に記載の技術では、このような胃壁の孔と腹壁の孔とがずれた状態で胃ろうのカテーテルを挿入する訓練を行うことはできない。
【０００８】
また、非特許文献１に記載の技術では、胃ろうだけでなく、経口や経鼻でチューブを挿入する訓練も行うことが可能であるため、構成が複雑であると共に、価格が高くなっている。特に、胃ろうの訓練だけが必要で、経口や経鼻でのチューブの挿入訓練が必要ない場合には、不要な機能がついているために、高い価格を支払わなければならなくなってしまう問題もある。
【０００９】
本発明は、胃ろうの訓練を可能な器具を提供することを第１の技術的課題とする。
また、本発明は、腹壁の孔と胃壁の孔とがずれている状態における胃ろうカテーテルを装着する訓練を可能な器具を提供することを第２の技術的課題とする。
【課題を解決するための手段】
【００１０】
前記技術的課題を解決するために、請求項１に記載の発明の胃ろう実技訓練具は、
台座部と、
前記台座部に支持されて、臓器の壁部を模した第１の壁部と、
前記第１の壁部に形成され且つ第１の壁部を貫通し、胃ろうカテーテルを挿入可能な第１の孔と、
腹壁を模した第２の壁部であって、前記台座部に対して第１の壁部を挟んで着脱可能に支持される前記第２の壁部と、
前記第２の壁部に形成され且つ前記第２の壁部を貫通し、胃ろうカテーテルを挿入可能な第２の孔と、
前記台座部に設けられた装着部と、
前記第２の壁部に設けられた被装着部であって、前記第１の孔の位置に対して前記第２の孔の位置が対応する第１の位置で前記装着部に装着可能であると共に、前記第１の孔の位置に対して前記第２の孔の位置がずれた状態となる第２の位置でも前記装着部に装着可能な前記被装着部と、
を備えたことを特徴とする。
【００１１】
請求項２に記載の発明は、請求項１に記載の胃ろう実技訓練具において、
予め設定された間隔をあけて配置された一対の前記装着部と、
前記一対の装着部どうしの中央の位置に対して、一方の装着部側に寄った位置に配置された前記第１の孔と、
前記一対の装着部に対応して、予め設定された間隔をあけて配置された前記被装着部であって、一方の装着部に一方の被装着部が装着され且つ他方の装着部に他方の被装着部が装着されることで前記第１の位置で前記第２の壁部が前記台座部に装着されると共に、一方の装着部に他方の被装着部が装着され且つ他方の装着部に一方の被装着部が装着されることで前記第２の位置で前記第２の壁部が前記台座部に装着される前記被装着部と、
前記第１の位置で前記台座部に前記第２の壁部が装着された状態において、前記一対の装着部どうしの中央の位置に対して一方の装着部側に寄った位置且つ前記第１の孔に対応する位置に配置されることにより、前記第２の位置では、前記第１の孔の位置に対してずれた状態となる前記第２の孔と、
を備えたことを特徴とする。
【発明の効果】
【００１２】
請求項１に記載の発明によれば、胃ろうの訓練を可能な器具を提供することができる。また、請求項１に記載の発明は、腹壁の孔と胃壁の孔とがずれている状態における胃ろうカテーテルを装着する訓練ができる。
請求項２に記載の発明によれば、装着部と被装着部との組み合わせを替えることで、第１の孔と第２の孔とを一致させたりずらしたりすることができる。
【図面の簡単な説明】
【００１３】
【図１】図１は実施例１の胃ろう実技訓練具の全体説明図である。
【図２】図２は実施例１の胃ろう実技訓練具の分解説明図である。
【図３】図３は図１のＩＩＩ−ＩＩＩ線断面図である。
【図４】図４は実施例１の胃ろう実技訓練具の作用説明図であり、図４Ａは胃壁孔と腹壁孔とが一致した第１の位置の状態の説明図、図４Ｂは図４Ａにおいて胃ろうカテーテルが装着された状態の説明図、図４Ｃは図４Ａに示す状態から腹壁パーツが取り外された状態の説明図、図４Ｄは図４Ｃに示す状態から腹壁パーツが左右反転した状態の説明図、図４Ｅは図４Ｄに示す状態から腹壁パーツが取り付けられて胃壁孔と腹壁孔とがずれた第２の位置の状態の説明図、図４Ｆは図４Ｅの状態において胃ろうカテーテルが装着された状態の説明図である。
【発明を実施するための形態】
【００１４】
次に図面を参照しながら、本発明の実施の形態の具体例（以下、実施例と記載する）を説明するが、本発明は以下の実施例に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
なお、以下の図面を使用した説明において、理解の容易のために説明に必要な部材以外の図示は適宜省略されている。
【実施例１】
【００１５】
図１は実施例１の胃ろう実技訓練具の全体説明図である。
図２は実施例１の胃ろう実技訓練具の分解説明図である。
図３は図１のＩＩＩ−ＩＩＩ線断面図である。
図１〜図３において、実施例１の胃ろう実技訓練具１は、台座部２を有する。台座部２は、台座部の本体の一例としての台座プレート３を有する。台座プレート３は、板状に形成されている。台座プレート３の中央部には、開口３ａが形成されている。台座プレート３の左右両端には、左右一対の脚部４が形成されている。脚部４は、下方に延びる板状に形成されている。台座プレート３には、開口３ａの左右両側に、装着部の一例としての突起６、７が支持されている。突起６、７は、台座プレート３から上方に延びる円柱状に形成されている。
【００１６】
なお、実施例１では、台座部２は、透明なアクリル材料で構成されている。また、台座部２の前後方向の長さが２１０ｍｍ、左右方向の長さが３７０ｍｍ、上下方向の高さが２００ｍｍに設定されている。各突起６，７は、左右両端から４０ｍｍの位置に中心が配置されており、突起６，７どうしは２９０ｍｍの間隔をあけて配置されている。突起６，７は、直径１５ｍｍで高さが１５ｍｍの円柱状に形成されている。
また、開口３ａは、開口３ａの中心が、台座部２の左右方向および前後方向の中心に一致させて形成されている。開口３ａは、前後方向の長さが１２０ｍｍ、左右方向の長さが２００ｍｍに設定されている。
【００１７】
台座部２には、第１の壁部の一例としての胃壁パーツ１１が支持される。胃壁パーツ１１は、胃壁台座１２を有する。胃壁台座１２は、被支持部の一例としてのフランジ部１３を有する。フランジ部１３は、胃壁台座１２の外周部に形成されており、開口３ａよりも大きく且つ突起６，７どうしの間隔よりも小さく形成されている。フランジ部１３の内側には、凹部１４が形成されている。凹部１４は、フランジ部１３に対して下方に凹んだ形状に形成されている。凹部１４の大きさは、開口３ａの大きさに対応して形成されている。すなわち、凹部１４は、開口３ａの内側に嵌った状態で収容可能になっている。凹部１４の内側には、胃壁本体の支持部１６が形成されている。実施例１の胃壁本体の支持部１６は、凹部１４よりもさらに下方に凹んだ形状に形成されている。また、胃壁本体の支持部１６の底面は、実際の胃壁の湾曲形状に対応させて、中央部から左右両側に行くに連れて下方に湾曲する部分円筒面状に形成されている。胃壁本体の支持部１６の中央部には、開口１７が形成されている。
【００１８】
なお、実施例１では、胃壁台座１２は、透明なＰＥＴ（ポリテトラフルオロエチレン）で構成されているが、材料はこれに限定されず、塩化ビニル等、任意の材料に変更可能である。胃壁台座１２では、フランジ部１３の外端の大きさは、左右方向の長さが２３３ｍｍ、前後方向の長さが１５３ｍｍに設定されている。また、凹部１４は、開口３ａの大きさに対して余裕（マージン）を持たせて、左右方向の長さが１９９ｍｍ、前後方向の長さが１１９ｍｍ、深さ１０ｍｍに設定されている。また、開口１７は、直径７０ｍｍの円孔により構成されており、円孔の中心が胃壁台座１２の前後及び左右方向の中央に一致するように設定されている。
【００１９】
胃壁本体の支持部１６には、第１の壁部の本体の一例としての胃壁パーツ本体１８が支持されている。胃壁パーツ本体１８は、胃壁本体の支持部１６に沿って湾曲した状態で支持される。胃壁パーツ本体１８には、第１の孔の一例としての胃壁孔１８ａが形成されている。実施例１の胃壁孔１８ａは、胃壁パーツ本体１８の左右方向の中央部に対して、右方に寄った位置に配置されている。
なお、実施例１では、胃壁パーツ本体１８は、実際の人体の胃壁を模しており、人体の胃壁の柔らかさに、柔らかさを調整したウレタンが使用されている。また、実施例１の胃壁パーツ本体１８は、湾曲していない状態で、左右方向の長さが１３５ｍｍ、前後方向の長さが１１７ｍｍ、厚さが８ｍｍに設定されている。前記胃壁孔１８ａの位置は、前後方向の中央部且つ左から７５．５ｍｍ、右から５９．５ｍｍの位置に孔１８ａの中心が設定されている。また、胃壁孔１８ａは直径５．６ｍｍの丸孔により構成されている。
前記胃壁台座１２と胃壁パーツ本体１８とにより、実施例１の胃壁パーツ１１が構成されている。
【００２０】
胃壁パーツ１１の上方には、第２の壁部の一例としての腹壁パーツ２１が支持される。腹壁パーツ２１は、腹壁台座２２を有する。腹壁台座２２は、板状に形成されている。腹壁台座２２の左右両端部には、被装着部の一例としての貫通孔２２ａ，２２ｂが形成されている。貫通孔２２ａ，２２ｂは、突起６，７に対応する位置に形成されている。また、腹壁台座２２の左右方向の中央部には、開口２２ｃが形成されている。開口２２ｃは、胃壁パーツ１１の開口１７に対応する位置に配置されている。
【００２１】
なお、実施例１では、腹壁台座２２は、胃壁台座１２と同様に、透明なＰＥＴ（ポリテトラフルオロエチレン）で構成されているが、材料はこれに限定されず、塩化ビニル等、任意の材料に変更可能である。腹壁台座２２では、台座プレート３よりも小さく形成されており、左右方向の長さが３３０ｍｍ、前後方向の長さが１９０ｍｍに設定されている。また、貫通孔２２ａ，２２ｂは、突起６，７に対応して、貫通孔２２ａ，２２ｂの中心どうしが２９０ｍｍの間隔をあけて配置されている。また、貫通孔２２ａ，２２ｂは、突起６，７の直径に対して余裕（マージン）を持たせて、直径１６ｍｍの円孔により構成されている。また、開口２２ｃは、開口１７に対応して、直径７０ｍｍの円孔により構成されており、円孔の中心が腸壁台座２２の左右方向及び前後方向の中央部に配置されている。
【００２２】
腹壁台座２２の上面には、第２の壁部の本体の一例としての腹壁パーツ本体２３が支持されている。腹壁パーツ本体２３の上面は、実際の人体の腹壁に対応させて、中央部の方が左右両側よりも厚さが厚く構成されている。腹壁パーツ２３には、第２の孔の一例としての腹壁孔２３ａが形成されている。実施例１の腹壁孔２３ａは、腹壁パーツ本体２３の左右方向の中央部に対して右方に寄って位置に配置されている。
なお、実施例１では、腹壁パーツ本体２３は、実際の人体の腹壁を模しており、実際の人体の腹壁の柔らかさに、柔らかさを調整したウレタンが使用されている。また、実施例１の腹壁パーツ本体２３は、左右方向の長さが２３６ｍｍ、前後方向の長さが１５６ｍｍ、厚さが両端部で９ｍｍ、中央部で１６ｍｍに設定されている。また腹壁孔２３ａの位置は、前後方向の中央部且つ左から１２６ｍｍ、右から１１０ｍｍの位置に孔２３ａの中心が設定されている。また、腹壁孔２３ａは直径５．６ｍｍの丸孔により構成されている。
前記腹壁台座２２と腹壁パーツ本体２３とにより、実施例１の腹壁パーツ２１が構成されている。
【００２３】
実施例１の胃ろう実技訓練具１では、台座部２の内側且つ胃壁パーツ１１の下方には、液体の収容部の一例としてのトレー２６が配置されている。トレー２６は、胃ろうカテーテルを装着する際に使用するジェルや、栄養液の流入の練習を行う場合の液体を受けるために胃壁孔１８ａの下方に配置されている。
【００２４】
（実施例１の作用）
図４は実施例１の胃ろう実技訓練具の作用説明図であり、図４Ａは胃壁孔と腹壁孔とが一致した第１の位置の状態の説明図、図４Ｂは図４Ａにおいて胃ろうカテーテルが装着された状態の説明図、図４Ｃは図４Ａに示す状態から腹壁パーツが取り外された状態の説明図、図４Ｄは図４Ｃに示す状態から腹壁パーツが左右反転した状態の説明図、図４Ｅは図４Ｄに示す状態から腹壁パーツが取り付けられて胃壁孔と腹壁孔とがずれた第２の位置の状態の説明図、図４Ｆは図４Ｅの状態において胃ろうカテーテルが装着された状態の説明図である。
前記構成を備えた実施例１の胃ろう実技訓練具１では、図３、図４Ａに示すように、胃壁孔１８ａが右側に寄った状態で胃壁パーツ１１が台座部２に装着されると共に、左側の突起６に左側の貫通孔２２ａが装着され且つ右側の突起７に右側の貫通孔２２ｂが装着された第１の位置では、胃壁孔１８ａと腹壁孔２３ａとが水平面内の位置が一致する。
【００２５】
図４Ｃ、図４Ｄにおいて、実施例１の胃ろう実技訓練具１では、腹壁パーツ２１が台座部２に対して着脱可能であると共に、図４Ｅに示すように、腹壁パーツ２１を左右反転させて取り付けることが可能である。すなわち、図４Ｅに示すように、左側の突起６に右側の貫通孔２２ｂが装着され且つ右側の突起７に左側の貫通孔２２ａが装着可能である。
図４Ｅに示すように、腹壁パーツ２１が左右反転して取り付けられた第２の位置では、胃壁孔１８ａと腹壁孔２３ａとが水平面内で位置がずれる。この状態では、腹壁孔２３ａと胃壁孔１８ａがずれた状態における胃ろうカテーテル３１の装着、取り外しの訓練を行うことが可能である。
【００２６】
非特許文献１に記載の従来の構成では、胃ろうカテーテル３１を着脱する訓練自体が不可能である上に、胃壁孔１８ａと腹壁孔２３ａとがずれた状態は想定さえされていない。したがって、非特許文献１に記載の構成を使用しても、胃壁孔１８ａと腹壁孔２３ａとがずれた状態で胃ろうカテーテル３１を装着する訓練を行うことは不可能であった。すなわち、従来の構成では、胃壁孔１８ａと腹壁孔２３ａとが一致するという理想的な状態における訓練しかできないが、実際の患者では、胃壁孔１８ａと腹壁孔２３ａとがずれることも発生しうる。したがって、理想的な状態でしか訓練を行えないと、実際の患者に胃ろうカテーテル３１を装着しようとした場合に、胃ろうカテーテル３１が胃壁孔１８ａに適切に挿入できない医療事故が発生する恐れがある。
これに対して、実施例１の胃ろう実技訓練具１では、第１の位置において、理想的な状態での胃ろうカテーテル３１を装着する訓練ができると共に、第２の位置において、図４Ｆに示すように、胃壁孔１８ａと腹壁孔２３ａとがずれた状態での胃ろうカテーテル３１を装着する訓練も十分に可能である。
【００２７】
また、図４Ｂ、図４Ｆに示すように、胃ろうカテーテル３１を装着された状態で、胃ろうカテーテル３１に図示しないチューブを接続して、胃壁の内側までチューブを通す訓練や、胃ろうカテーテル３１を通したチューブを使用して栄養液等を流入させる訓練も可能である。
また、腹壁パーツ本体２３の表面における胃ろうカテーテル３１の周囲の消毒、清掃等のケアの練習も可能である。
さらに、実施例１の胃ろう実技訓練具１は、非特許文献１に記載の従来の技術と異なり、経口や経鼻でチューブを挿入する訓練や栄養液を流入させる機能が省略されており、構成が単純である。したがって、非特許文献１に記載の構成に比べて、価格を抑えることができると共に、構成が単純であるため、メンテナンスも容易である。
また、実施例１の胃ろう実技訓練具１では、胃ろうに関するセミナー、講習会等での胃ろうの仕組みを説明するための標本として好適に使用することができる。
【００２８】
（変更例）
以上、本発明の実施例を詳述したが、本発明は、前記実施例に限定されるものではなく、特許請求の範囲に記載された本発明の要旨の範囲で、種々の変更を行うことが可能である。本発明の変更例（Ｈ01）〜（Ｈ04）を下記に例示する。
（Ｈ01）前記実施例において、数値や材料名等を例示したが、これに限定されず、設計や仕様等に応じて、これらは任意に変更可能である。
（Ｈ02）前記実施例において、突起６，７と貫通孔２２ａ，２２ｂとで着脱する構成を例示したが、これに限定されず、着脱可能に支持可能な任意の構成を採用可能である。例えば、爪と溝や、突起と凹部の組み合わせを使用したり、台座部２側に貫通孔を設け且つ腹壁パーツ２１側に突起を設ける等の変更も可能である。
【００２９】
（Ｈ03）前記実施例において、胃壁パーツ１１は開口３ａに嵌る形で着脱可能に支持される構成を例示したが、これに限定されない。腹壁パーツ２１と同様の着脱構造を採用することも可能である。逆に、胃壁パーツ１１は、台座部２に固定支持する構成とすることも可能である。
（Ｈ04）前記実施例において、胃壁孔１８ａや腹壁孔２３ａは１つずつ設けた構成を例示したが、これに限定されず、複数個配置する構成とすることも可能である。また、この場合、胃壁孔１８ａの数と腹壁孔２３ａの数とが一致しても良いし、一致しなくても良い。
【符号の説明】
【００３０】
１…胃ろう実技訓練具、
２…台座部、
６，７…装着部、
１１…第１の壁部、
１８ａ…第１の孔、
２１…第２の壁部、
２２ａ，２２ｂ…被装着部、
２３ａ…第２の孔、
３１…胃ろうカテーテル。
【図１】
2014133010.tif 000003
【図２】
2014133010.tif 000004
【図３】
2014133010.tif 000005
【図４】
2014133010.tif 000006